(57)【特許請求の範囲】
【請求項１】
弾性変形可能な複数本の弓体を芯材の周囲に配設すると共に、その両端部を前記芯材の長さ方向の前後にそれぞれ取り付け、該芯材の後端部に中空構造を有する連結器を取り付け、該連結器の中空管内にケーブルを固定するように構成した通線器において、前記複数本の弓体の長さ方向の少なくとも１箇所を収束させる留め具を前記芯材上に設け、前記留め具を前記芯材に対して固定する一方で、前記弓体を前記留め具に対して摺動可能に構成した通線器。
【請求項２】
弾性変形可能な複数本の弓体を芯材の周囲に配設すると共に、その両端部を前記芯材の長さ方向の前後にそれぞれ取り付け、該芯材の後端部に中空構造を有する連結器を取り付け、該連結器の中空管内にケーブルを固定するように構成した通線器において、前記複数本の弓体の長さ方向の少なくとも１箇所を収束させる留め具を前記芯材上に設け、前記弓体を前記留め具に対して固定する一方で、前記留め具を前記芯材に対して摺動可能に構成した通線器。
【発明の詳細な説明】
【０００１】
【発明の属する技術分野】
本発明は、チェーンコイル等のケーブル架設用吊具に通信用ケーブルや送電用ケーブル等の各種ケーブルを挿通させるための通線器に関し、さらに詳しくは、通線作業を簡単かつ迅速に行うことを可能にした通線器に関するものである。
【０００２】
【従来の技術】
通信用ケーブルや送電用ケーブル等を簡単に架設する手段として、合成樹脂から連続螺旋状に成形された伸縮自在のチェーンコイルを使用することが提案されている。
【０００３】
図５はチェーンコイルの架設状態を示すものである。この図５に示すように、チェーンコイルＣは電柱間に張設されたメッセンジャーワイヤＷと共にケーブルＬを巻き込むように取り付けられ、そのケーブルＬをメッセンジャーワイヤＷに対して一定間隔で懸架した状態にするようになっている。
【０００４】
また、架設すべきケーブルを追加する場合は、チェーンコイルの螺旋内側に新たなケーブルを挿入し、これをメッセンジャーワイヤＷに沿って延線するようにすれば良い。この場合、通線作業はケーブルの先端部を一方の電柱側から他方の電柱側に向けてチェーンコイルの内側へ押し込み、メッセンジャーワイヤＷに沿って徐々に前進させることにより行われている。
【０００５】
しかしながら、ケーブルは可撓性であると共に、長期間リールに巻回されていたことに基づく曲がりぐせが付いているため、ケーブルの先端部をチェーンコイルの内側を通しながら前進させることは極めて困難であり、場合によっては先端部がチェーンコイルからはみ出し、これを引き戻して再びチェーンコイルの内側に入るように前進させる必要がある。そのため、ケーブルの通線作業に多大な時間と手間を要していた。
【０００６】
【発明が解決しようとする課題】
本発明の目的は、各種ケーブルの通線作業を簡単かつ迅速に行うことを可能にした通線器を提供することにある。
【０００７】
【課題を解決するための手段】
上記目的を達成するための本発明の通線器は、弾性変形可能な複数本の弓体を芯材の周囲に配設すると共に、その両端部を前記芯材の長さ方向の前後にそれぞれ取り付け、該芯材の後端部に中空構造を有する連結器を取り付け、該連結器の中空管内にケーブルを固定するように構成した通線器において、前記複数本の弓体の長さ方向の少なくとも１箇所を収束させる留め具を前記芯材上に設け、前記留め具を前記芯材に対して固定する一方で、前記弓体を前記留め具に対して摺動可能に構成したことを特徴とするものである。
また、上記目的を達成するための本発明の他の通線器は、弾性変形可能な複数本の弓体を芯材の周囲に配設すると共に、その両端部を前記芯材の長さ方向の前後にそれぞれ取り付け、該芯材の後端部に中空構造を有する連結器を取り付け、該連結器の中空管内にケーブルを固定するように構成した通線器において、前記複数本の弓体の長さ方向の少なくとも１箇所を収束させる留め具を前記芯材上に設け、前記弓体を前記留め具に対して固定する一方で、前記留め具を前記芯材に対して摺動可能に構成したことを特徴とするものである。
【０００８】
本発明の通線器によれば、連続螺旋状に成形されたチェーンコイル等のケーブル架設用吊具に各種ケーブルを追加挿入する場合に、芯材の後端部にケーブルを連結し、該芯材を先頭にしてケーブルの先端部をケーブル架設用吊具の内側で押し進めることにより、弾性変形可能な複数本の弓体が変形しながらケーブル架設用吊具に常時接触するので、芯材はメッセンジャーワイヤや既設のケーブルを避けながらケーブル架設用吊具の中心部を前進することが可能になる。そのため、各種ケーブルの通線作業を簡単かつ迅速に行うことができる。
【０００９】
本発明において、前記複数本の弓体の長さ方向の少なくとも１箇所を収束させる留め具を前記芯材上に設け、前記留め具を前記芯材に対して固定する一方で、前記弓体を前記留め具に対して摺動可能に構成するか、或いは前記弓体を前記留め具に対して固定する一方で、前記留め具を前記芯材に対して摺動可能に構成する。このように複数本の弓体を少なくとも１箇所で収束させる留め具を設けた場合、各弓体は芯材の長さ方向に複数の弧状の盛り上がりを形成する。
【００１０】
そのため、通線器の進路が局部的に狭くなっている場合などに、前方側の盛り上がりが縮小する一方で、後方側の盛り上がりが拡大するようになるので、弓体の後方側部分の押圧力で芯材の位置を正確に保持しながら、弓体の先端側を滑らかに進行させることができる。また、弓体の後方側部分が狭い進路を通過するときは、後方側の盛り上がりが縮小する一方で、前方側の盛り上がりが拡大するようになるので、弓体の前方側部分の押圧力で芯材の位置を正確に保持しながら、弓体の後方側を滑らかに進行させることができる。
【００１１】
【発明の実施の形態】
以下、本発明の構成について添付の図面を参照して詳細に説明する。
【００１２】
図１及び図２は本発明を説明するための通線器（参考例）を示すものである。図において、Ｗは電柱間に張設されたメッセンジャーワイヤ、Ｃは該メッセンジャーワイヤＷに沿って架設された連続螺旋状のチェーンコイル、Ｌは該チェーンコイルＣにより一定間隔をおいて懸架されたケーブルである。
【００１３】
この通線器は、棒状又は管状の芯材１と、該芯材１の周囲に長さ方向に沿って延長する複数本の弓体２と、新しく架設するケーブルＬ’を連結するための連結器３とを備えている。芯材１は金属又は合成樹脂等から構成されている。この芯材１の寸法は特に限定されるものではないが、少なくともチェーンコイルＣの架設時の螺旋ピッチよりも長いことが必要である。芯材１の先端部と後端部にはそれぞれ複数本の弓体２の前後両端部を固定するためのソケット１ａ，１ｂが取り付けられている。先端側のソケット１ａは通線器の前進を容易にするために円錐状に成形されている。
【００１４】
一方、後端側のソケット１ｂの近傍には連結器３が取り付けられている。この連結器３は中空構造を有し、その中空管内に挿入したケーブルＬ’の先端部をネジ３ａで締め付け固定するようになっている。但し、連結器３の構成は特に限定されるものではなく、例えばケーブルＬ’の先端部を単に摩擦力によって係止する構造であっても良い。
【００１５】
複数本の弓体２は合成樹脂モノフィラメントやピアノ線等の直線状の弾性線材からなり、両端部から対向方向に力を加えると弓なりに変形する可逆的な可撓性を有している。これら弓体２は弾性的に湾曲させた状態で芯材１のソケット１ａ，１ｂ間に取り付けられ、芯材１の外周から放射方向に突出している。弓体２の本数は好ましくは３〜６本にする。弓体２の本数が３本未満であると芯材１をチェーンコイルＣの略中心部に位置させることが困難になるため通線器の直進性が低下し、逆に６本を超えると弓体２が過密になるため通線時の抵抗が大きくなり、通線作業が困難になる。
【００１６】
次に、上記通線器の使用方法について説明する。図１及び図２に示すように、電柱間に張設されたメッセンジャーワイヤＷにチェーンコイルＣを介してケーブルＬを既設した状態から新たなケーブルＬ’を追加する場合、先ず通線器の連結器３にケーブルＬ’の先端部を取り付ける。次いで、芯材１を先頭にして一方の電柱側から他方の電柱側に向けてケーブルＬ’の先端部をメッセンジャーワイヤＷに沿ってチェーンコイルＣの内側を通過するように押し進める。
【００１７】
このとき、弾性を有する複数本の弓体２は柔軟に変形しながら常時チェーンコイルＣと接触するので、芯材１は複数本の弓体２に支持されながらチェーンコイルＣの略中心部を前進する。また、チェーンコイルＣの内側にはメッセンジャーワイヤＷや既設のケーブルＬが存在しているものの、図２のように複数本の弓体２がメッセンジャーワイヤＷや既設のケーブルＬを避けるように周方向に変位するので、これら部材が芯材１の前進を阻害することはない。従って、チェーンコイルＣを使用したケーブル架設構造において、新たなケーブルの通線作業を簡単かつ迅速に行うことができる。
【００１８】
図３及び図４は本発明の実施形態からなる通線器を示すものである。但し、図３及び図４において、図１及び図２と同一物には同一符号を付してその部分の詳細な説明は省略する。
【００１９】
この実施形態の通線器において、芯材１の長さ方向の略中央部には各弓体２を収束させる留め具１ｃが設けられている。この留め具１ｃは芯材１に対して固定されているが、各弓体２は留め具１ｃに対して摺動可能になっている。これにより、各弓体２は芯材１の長さ方向に２つの弧状の盛り上がり２ａ，２ｂを形成している。
【００２０】
上記通線器を使用して既設のケーブルＬに沿って新たなケーブルＬ’を架設する場合も、前述した実施形態と同様に、芯材１を先頭にしてケーブルＬ’の先端部をメッセンジャーワイヤＷに沿ってチェーンコイルＣの内側を通るように押し進めることにより、ケーブルの通線作業を簡単かつ迅速に行うことができる。
【００２１】
特に本実施形態では、複数本の弓体２が芯材１の長さ方向の略中央部で留め具１ｃに対して摺動自在に拘束され、各弓体２が芯材１の長さ方向に２つの弧状の盛り上がり２ａ，２ｂを形成しているので、例えばチェーンコイルＣの架設時の直径が局部的に狭くなっていたり、或いは既設のケーブルＬの懸架状態により通線器の進路が局部的に狭くなっている場合などにおいても、通線器を滑らかに進行させることができる。
【００２２】
即ち、通線器の進路が局部的に狭くなるときには、前方側の盛り上がり２ａが縮小する一方で、後方側の盛り上がり２ｂが拡大するようになるので、弓体２の後方側部分の押圧力で芯材１の位置をチェーンコイルＣの中心部に正確に保持しながら、弓体２の先端側を滑らかに進行させることができる。引き続いて、弓体２の後方側部分が狭い進路を通過するときは、後方側の盛り上がり２ｂが縮小する一方で、前方側の盛り上がり２ａが拡大するようになるので、弓体２の前方側部分の押圧力で芯材１の位置を正確に保持しながら、弓体２の後方側を滑らかに進行させることができる。
従って、本実施形態によれば、通線器の進路が曲がっている場合などでも通線器がチェーンコイルＣからはみ出すことを回避できる。
【００２３】
上記実施形態では留め具を芯材に対して固定する一方で、弓体を留め具に対して摺動可能に構成しているが、本発明では弓体を留め具に対して固定する一方で、留め具を芯材の長さ方向に沿って摺動可能に構成しても良い。この場合、弓体は留め具を貫通する一体的なものであっても良く、或いは留め具の両側で分割しても良い。
【００２４】
また、上記実施形態では複数本の弓体を長さ方向の１箇所で収束させた場合について説明したが、本発明ではこれら弓体を長さ方向の複数箇所で収束させても良い。
【００２５】
【発明の効果】
以上説明したように本発明の通線器によれば、弾性変形可能な複数本の弓体を芯材の周囲に長さ方向に沿って取り付け、該芯材の後端部にケーブルを連結可能に構成したことにより、連続螺旋状に成形されたチェーンコイル等のケーブル架設用吊具に各種ケーブルを追加挿入する場合に、その通線作業を簡単かつ迅速に行うことができる。また、複数本の弓体の長さ方向の少なくとも１箇所を収束させる留め具を芯材上に設け、留め具を芯材に対して固定する一方で弓体を留め具に対して摺動可能に構成するか、或いは弓体を留め具に対して固定する一方で留め具を芯材に対して摺動可能に構成することにより、通線器の進路が局部的に狭くなっている場合などに、芯材の位置を正確に保持しながら、弓体を滑らかに進行させることができる。
【図面の簡単な説明】
【図１】  本発明の参考例の通線器を使用してケーブルを架設する場合の側面図である。
【図２】図１のＸ−Ｘ断面図である。
【図３】  本発明の実施形態からなる通線器を使用してケーブルを架設する場合の側面図である。
【図４】図３のＹ−Ｙ断面図である。
【図５】チェーンコイルの装着状態を示す側面図である。
【符号の説明】
１  芯材
１ａ，１ｂ  ソケット
１ｃ  留め具
２  弓体
３  連結器
Ｃ  チェーンコイル
Ｌ，Ｌ’  ケーブル
Ｗ  メッセンジャーワイヤ
【図１】
0004248677.tif 000002
【図２】
0004248677.tif 000003
【図３】
0004248677.tif 000004
【図４】
0004248677.tif 000005
【図５】
0004248677.tif 000006